(57)【要約】【課題】ユーザが施設を訪問する際、施設の従業員等にユーザの目的を説明しなくても、ユーザの目的に合ったサービスを受けることが可能な通信装置を提供する。【解決手段】ユーザが訪問する施設の入力を受け付けた際、音声による訪問目的の入力を受け付け（Ｓ１２０）、施設を訪問する際の目的を示す音声メッセージを生成する。そして、生成した音声メッセージと、訪問する施設に到着する予想時刻である到着予想時刻と、ユーザの顔写真等を含むユーザ情報とを有する訪問メッセージを、ユーザが訪問する施設にメールにて送信する（Ｓ１３５）。【選択図】図４
2008305239.tif 000002
【特許請求の範囲】
【請求項１】
無線通信を介してデータの通信を行う通信装置において、
無線通信を介してデータの送信を行う通信手段と、施設の連絡先を特定する連絡先情報を取得するデータ取得手段と、ユーザの外見を特定する事ができる情報である外見特定情報を少なくとも有するユーザ情報を取得するユーザ情報取得手段と、施設を特定することが可能な情報である施設特定情報の入力、及びユーザが施設を訪問する際の目的である訪問目的の入力を受け付ける受付手段と、種々の制御を行う制御手段とを備え、
前記制御手段は、
前記受付手段を介して前記施設特定情報の入力を受け付ける第一のステップと、
前記第一のステップにおいて入力を受け付けた前記施設特定情報に基づき、前記データ取得手段を介して前記連絡先情報を取得する第二のステップと、
前記第二のステップにおいて取得された前記連絡先情報に係る施設をユーザが訪問する際の前記訪問目的の入力を、前記受付手段を介して受け付ける第三のステップと、
前記第三のステップにおいて入力を受け付けた前記訪問目的に基づき訪問目的メッセージを生成し、前記第二のステップにおいて取得された前記連絡先情報により特定される連絡先に、前記通信手段を介して、前記ユーザ情報取得手段が取得した前記ユーザ情報、及び生成した前記訪問目的メッセージを送信する第四のステップとを有する訪問メッセージ送信処理を実行すること、
を特徴とする通信装置。
【請求項２】
請求項１に記載の通信装置において、
前記通信装置は、車両の現在地を特定する現在地特定手段を更に備え、
前記データ取得手段は、前記第二のステップにおいて取得された前記連絡先情報に係る施設の位置を特定することができる地図データを更に取得し、
前記訪問メッセージ送信処理は、前記現在地特定手段により特定された車両の現在地から、前記第一のステップにおいて受け付けた前記施設特定情報に係る施設まで車両が走行する際、前記第一のステップにおいて受け付けた前記施設特定情報に係る施設に車両が到着する到着予想時刻を、前記データ取得手段が取得した前記地図データに基づき算出する第五のステップを更に有し、
前記制御手段は、前記訪問メッセージ送信処理を実行する際、前記第四のステップに先立ち前記第五のステップを行い、前記第四のステップにおいて、前記第二のステップにおいて取得した前記連絡先情報により特定される連絡先に、前記通信手段を介して、前記第五のステップにおいて算出された前記到着予想時刻を更に送信すること、
を特徴とする通信装置。
【請求項３】
請求項１又は請求項２に記載の通信装置において、
前記ユーザ情報取得手段は、無線通信を介してデータを受信する機能を更に有しており、
前記ユーザ情報とは、前記ユーザ情報取得手段が、無線通信を介して、ユーザが有する携帯機器から受信したデータであること、
を特徴とする通信装置。
【請求項４】
請求項１から請求項３のいずれかに記載の通信装置において、
前記訪問メッセージ送信処理において送信される前記ユーザ情報は、ユーザの個人情報を更に有していること、
を特徴とする通信装置。
【請求項５】
請求項１から請求項４のいずれかに記載の通信装置において、
前記訪問メッセージ送信処理において送信される前記ユーザ情報は、ユーザの嗜好を示す情報である嗜好情報を更に有していること、
を特徴とする通信装置。
【請求項６】
請求項１から請求項５のいずれかに記載の通信装置において、
前記通信装置は、種々の情報をユーザに報知する報知手段を更に備え、
前記通信手段は、更に、無線通信を介してデータの受信を行い、
前記制御手段は、前記通信手段を介して受信したデータに基づくメッセージを、前記報知手段を介してユーザに報知すること、
を特徴とする通信装置。
【請求項７】
請求項１、又は請求項１を引用する請求項３から請求項６のいずれかに記載の通信装置において、
前記通信装置は、車両の現在地を特定する現在地特定手段を更に備え、
前記データ取得手段は、前記第二のステップにおいて取得された前記連絡先情報に係る施設の位置を特定することができる地図データを更に取得し、
前記制御手段は、
前記現在地特定手段により特定された車両の現在地から、前記訪問メッセージ送信処理の前記第二のステップにおいて取得された前記連絡先情報に係る施設まで車両が走行する際、前記第二のステップにおいて取得された前記連絡先情報に係る施設に車両が到着するまでに必要な時間である予想時間を、前記データ取得手段を介して取得した前記地図データに基づき算出し、
算出した前記予想時間が所定の条件を満たした際に、前記訪問メッセージ送信処理の前記第四のステップを行うこと、
を特徴とする通信装置。
【請求項８】
請求項２、又は請求項２を引用する請求項３から請求項６のいずれかに記載の通信装置において、
前記制御手段は、
前記現在地特定手段により特定された車両の現在地から、前記訪問メッセージ送信処理の前記第二のステップにおいて取得された前記連絡先情報に係る施設まで車両が走行する際、前記第二のステップにおいて取得された前記連絡先情報に係る施設に車両が到着するまでに必要な時間である予想時間を、前記データ取得手段を介して取得した前記地図データに基づき算出し、
算出した前記予想時間が所定の条件を満たした際に、前記訪問メッセージ送信処理の前記第四のステップを行うこと、
を特徴とする通信装置。
【請求項９】
請求項１から請求項８のいずれかに記載の通信装置において、
前記通信装置は、ユーザが発話した音声に基づき音声データを生成する音声データ生成手段を更に備え、
前記制御手段は、前記訪問メッセージ送信処理の前記第三のステップにおいて、前記受付手段を介して前記訪問目的の入力を受け付けることに替えて、前記音声データ生成手段が生成した前記音声データから前記訪問目的を推測すること、
を特徴とする通信装置。
【請求項１０】
コンピュータを、請求項１から請求項９のいずれかに記載の通信装置が備える前記制御手段として機能させるためのプログラム。
【発明の詳細な説明】
【技術分野】
【０００１】
本発明は、データの送受信を行う車載用の通信装置に関する。
【背景技術】
【０００２】
ＨＤＤやＤＶＤ−ＲＯＭ等に記憶されている施設情報をユーザに提供することができるナビゲーション装置や、インターネット等を介してサーバから施設情報を取得し、ユーザに提供することができるナビゲーション装置が知られている。このようなナビゲーション装置を用いることにより、ユーザは必要に応じてレストランやレジャー施設等の施設情報を取得し、取得した施設情報に基づきドライブの目的地を決める事等が可能となり、快適なドライブを行う事ができる。また、施設の経営者等は、このようなナビゲーション装置を介して施設情報を提供することにより施設の宣伝等を行う事ができるため、施設の売り上げを向上させることが可能となる。
【０００３】
また、特許文献１には、施設情報を取得すると共にレストラン等の施設の予約を行い、予約を行った後のフォローを受ける事が可能な施設情報提供装置が記載されている。この施設情報提供装置を用いることにより、ユーザはレストラン等の施設情報を取得すると同時にレストラン等の予約を行う事ができる。更に、レストラン等を予約したユーザのスケジュールの変更が生じた場合であっても予約の時間等を容易に変更する事ができるため、施設を利用する際の利便性を向上させることができる。また、施設の経営者は、この施設情報提供装置を介して予約等を受け付けることにより施設の利用を促すことができるため、施設の売り上げを向上させることが可能となる。
【特許文献１】特開２００２−９８５３７号公報
【発明の開示】
【発明が解決しようとする課題】
【０００４】
しかし、特許文献１に記載の施設情報提供装置を用いて予約を行った場合、施設の従業員等は、ユーザが施設を訪問する目的が不明であるため、施設を訪れたユーザから目的等を聞き出さなければ、ユーザに合わせたサービスを提供することができない。
【０００５】
本発明は上記課題を解決するためになされたものであり、施設を訪れたユーザが、施設の従業員等に施設を訪れた目的を説明しなくても、ユーザの目的に合ったサービスを受けることが可能な通信装置を提供することを目的とする。
【課題を解決するための手段】
【０００６】
上記課題を解決するためになされた請求項１に記載の通信装置は、無線通信を介してデータの送信を行う通信手段と、施設の連絡先を特定する連絡先情報を取得するデータ取得手段と、ユーザの外見を特定する事ができる情報である外見特定情報を少なくとも有するユーザ情報を取得するユーザ情報取得手段と、施設を特定することが可能な情報である施設特定情報の入力、及びユーザが施設を訪問する際の目的である訪問目的の入力を受け付ける受付手段と、種々の制御を行う制御手段とを備える。そして、制御手段は、受付手段を介して施設特定情報の入力を受け付ける第一のステップと、第一のステップにおいて入力を受け付けた施設特定情報に基づき、データ取得手段を介して連絡先情報を取得する第二のステップと、第二のステップにおいて取得された連絡先情報に係る施設をユーザが訪問する際の訪問目的の入力を、受付手段を介して受け付ける第三のステップと、第三のステップにおいて入力を受け付けた訪問目的に基づき訪問目的メッセージを生成し、第二のステップにおいて取得された連絡先情報により特定される連絡先に、通信手段を介して、ユーザ情報取得手段が取得したユーザ情報、及び生成した訪問目的メッセージを送信する第四のステップとを有する訪問メッセージ送信処理を実行する。
【０００７】
ここで、連絡先情報の一例として、メールアドレスを挙げる事ができる。また、ユーザ情報が有するユーザの外見を特定する事ができる情報の一例として、ユーザの顔の画像データを挙げる事ができる。
【０００８】
また、施設を特定することが可能な情報である施設特定情報の具体例として、施設の名称や、住所や、電話番号や、地図データ上の所定の場所を特定する事ができる情報である位置情報等を挙げる事ができる。これら以外にも、例えば、施設検索処理における検索条件を施設特定情報とみなすこともできる。制御手段は、第一のステップにおいて検索条件の入力を受け付けた場合、第二のステップにおいて、入力された検索条件に合致した施設の連絡先情報を、データ取得手段を介して取得することができる。
【０００９】
また、第三のステップにおいて入力を受け付ける訪問目的は、例えば、ユーザが受付手段を介して文章により入力されたものであっても良い。また、訪問目的は、例えば、報知手段を介して複数の訪問目的の例をユーザに報知し、報知された訪問目的の中からユーザが選択した訪問目的を、受付手段を介して受け付けても良い。また、訪問目的は、例えば、報知手段を介して複数の訪問目的の例をユーザに報知し、報知された訪問目的の中からユーザが選択した訪問目的を、受付手段を介して受け付け、更に受付手段を介して所定のキーワードの入力を受け付け、ユーザにより選択された訪問目的と、入力されたキーワードを組み合わせたものであっても良い。また、訪問目的は、例えば、ユーザから受付手段を介して音声により入力されたものであっても良い。
【００１０】
こうすることにより、施設の従業員等は、施設を訪問するユーザの訪問目的、及びユーザの外見を知る事ができるため、ユーザは、施設の従業員等に対し自分の名前や訪問目的を告げなくても訪問目的に合ったサービスの提供を受ける事ができる。
【００１１】
また、請求項１に記載の通信装置を用いてユーザが施設の従業員等に訪問目的を伝えている場合であっても、施設の従業員等はユーザが施設に到着する時間がわからないため、ユーザに提供するサービスの準備を効率良く行う事ができない場合がある。
【００１２】
そこで、請求項２に記載の通信装置は、車両の現在地を特定する現在地特定手段を更に備え、データ取得手段は、第二のステップにおいて取得された連絡先情報に係る施設の位置を特定することができる地図データを更に取得する。そして、訪問メッセージ送信処理は、現在地特定手段により特定された車両の現在地から、第一のステップにおいて受け付けた施設特定情報に係る施設まで車両が走行する際、第一のステップにおいて受け付けた施設特定情報に係る施設に車両が到着する到着予想時刻を、データ取得手段が取得した地図データに基づき算出する第五のステップを更に有する。そして、制御手段は、訪問メッセージ送信処理を実行する際、第四のステップに先立ち第五のステップを行い、第四のステップにおいて、第二のステップにおいて取得した連絡先情報により特定される連絡先に、通信手段を介して、第五のステップにおいて算出された到着予想時刻を更に送信する。
【００１３】
こうすることにより、ユーザが訪問する施設の従業員等は、ユーザが施設に到着する予想時刻を知る事ができるため、ユーザが施設に到着する時刻にあわせて、ユーザに提供するサービスの準備を行うことができる。
【００１４】
また、ユーザは、レンタカー等を借りてドライブを行い、施設を利用する場合もある。ユーザが借りた車両に搭載されている他人が所有する通信装置を使用する場合に、わざわざ通信装置のＨＤＤ等にユーザ情報を記憶させなければならないというのでは、不便である。また、通信装置のＨＤＤ等にユーザ情報を記憶させることを可能にしてしまうと、通信装置が盗難等の被害に遭い、ユーザ情報が流出してしまう危険性が高くなる。
【００１５】
そこで、請求項３に記載の通信装置は、ユーザ情報取得手段は、無線通信を介してデータを受信する機能を更に有しており、ユーザ情報とは、ユーザ情報取得手段が、無線通信を介して、ユーザが有する携帯機器から受信したデータである。
【００１６】
こうすることにより、他人が所有する通信装置を使用する場合であっても、通信装置にユーザ情報を記憶させる必要がなくなるため、通信装置の利便性が向上する。また、訪問メッセージ送信処理を行う度にユーザが有する携帯機器からユーザ情報を読み出すため、ユーザ情報を通信装置のＨＤＤ等に記憶させておく必要がなくなり、ユーザ情報が流出してしまう危険性を低減させることができる。
【００１７】
また、施設の従業員等が、施設を訪問するユーザの個人情報を知っていれば、個々のユーザに合わせたサービスの提供が可能となる。
そこで、請求項４に記載の通信装置では、訪問メッセージ送信処理において送信されるユーザ情報は、ユーザの個人情報を更に有している。
【００１８】
ここで、個人情報とは、具体的には、ユーザの氏名、年齢、性別、住所、職業、年収等の情報のことである。
こうすることにより、施設の従業員等は個人情報に基づきユーザに合ったサービスの提供を行う事が可能となり、ユーザは、より質の高いサービスの提供を受ける事が可能となる。また、施設の経営者等は、施設を訪問するユーザの個人情報を得る事が可能となり、これらの個人情報を施設の経営に役立てることが可能となる。
【００１９】
また、施設の従業員等が、施設を訪問するユーザの嗜好を知っていれば、ユーザの嗜好に合わせたサービスの提供が可能となる。
そこで、請求項５に記載の通信装置では、訪問メッセージ送信処理において送信されるユーザ情報は、ユーザの嗜好を示す情報である嗜好情報を更に有している。
【００２０】
ここで、嗜好情報とは、具体的には、ユーザの味の好み、色の好み、煙草を吸う又は吸わない等の情報のことである。
こうすることにより、施設の従業員等は嗜好情報に基づきユーザの嗜好に合わせたサービスの提供を行う事が可能となり、ユーザは、より質の高いサービスの提供を受ける事が可能となる。また、施設の経営者等は、施設を訪問するユーザの嗜好を知る事が可能となり、この情報を施設の経営に役立てることが可能となる。
【００２１】
また、ユーザは、訪問メッセージ送信処理に係る施設の混み具合等の施設に関する情報を得る事ができれば、便利である。
そこで、請求項６に記載の通信装置は、種々の情報をユーザに報知する報知手段を更に備え、通信手段は、更に、無線通信を介してデータの受信を行い、制御手段は、通信手段を介して受信したデータに基づくメッセージを、報知手段を介してユーザに報知する。
【００２２】
こうすることにより、ユーザは、訪問メッセージ送信処理に係る施設が提供する情報に基づき、この施設を訪問するか否か決めることが可能となり、通信装置の利便性が向上する。また、ユーザは、複数の施設に対し訪問メッセージを送信し、訪問メッセージを送信した施設から受信したメッセージに基づき訪問する施設を選択することが可能となり、通信装置の利便性が向上する。
【００２３】
また、遠方にドライブに出かける場合等、ドライブを開始する際に訪問する施設を決めても、道路事情等の理由により予定通り施設を訪問できない場合もある。
そこで、請求項７に記載の通信装置は、車両の現在地を特定する現在地特定手段を更に備え、データ取得手段は、第二のステップにおいて取得された連絡先情報に係る施設の位置を特定することができる地図データを更に取得する。そして、制御手段は、現在地特定手段により特定された車両の現在地から、訪問メッセージ送信処理の第二のステップにおいて取得された連絡先情報に係る施設まで車両が走行する際、第二のステップにおいて取得された連絡先情報に係る施設に車両が到着するまでに必要な時間である予想時間を、データ取得手段を介して取得した地図データに基づき算出し、算出した予想時間が所定の条件を満たした際に、訪問メッセージ送信処理の第四のステップを行う。
【００２４】
また、請求項８に記載の通信装置は、制御手段は、現在地特定手段により特定された車両の現在地から、訪問メッセージ送信処理の第二のステップにおいて取得された連絡先情報に係る施設まで車両が走行する際、第二のステップにおいて取得された連絡先情報に係る施設に車両が到着するまでに必要な時間である予想時間を、データ取得手段を介して取得した前記地図データに基づき算出し、算出した予想時間が所定の条件を満たした際に、訪問メッセージ送信処理の第四のステップを行う。
【００２５】
こうすることにより、車両が施設に近づいたことをトリガとしてメッセージ送信処理を開始させるため、訪問しない施設に訪問メッセージを送信してしまうことを防止することができる。
【００２６】
また、訪問メッセージ送信処理において送信する訪問メッセージが自動的に生成されれば便利である。
そこで、請求項９に記載の通信装置は、ユーザが発話した音声に基づき音声データを生成する音声データ生成手段を更に備え、制御手段は、訪問メッセージ送信処理の第三のステップにおいて、受付手段を介して訪問目的の入力を受け付けることに替えて、音声データ生成手段が生成した音声データから訪問目的を推測する。
【００２７】
ここで、音声データ生成手段が生成した音声データから訪問目的を推測するとは、具体的には、例えば、音声データに基づき、ユーザが発話した音声に所定のキーワードが含まれているか判定し、音声データに含まれるキーワードのうち、最も多く含まれるキーワードを特定する。そして、記憶手段等に記憶されている所定のキーワードと訪問目的とを対応させるテーブルを参照して、最も多く含まれるキーワードに対応する訪問目的を、ユーザの訪問目的とみなしても良い。
【００２８】
こうすることにより、ユーザの会話に基づき訪問目的を予測し、予測した訪問目的に基づき自動的に訪問メッセージを生成することができるため、ユーザは訪問目的を入力する必要がなくなり、通信装置の使い勝手が向上する。
【００２９】
また、請求項１０に記載されている様に、請求項１から請求項９のいずれかに記載の通信装置が備える制御手段として機能させるためのプログラムを、通信装置が内蔵するコンピュータに実行させる様になっていても良い。
【００３０】
請求項１０の記載の様になっていれば、例えば、光磁気ディスク、ＣＤ−ＲＯＭ、ハードディスク、ＲＯＭ、ＲＡＭ等のコンピュータが読みとり可能な記録媒体にプログラムを記録し、そのプログラムを必要に応じてコンピュータにロードして起動することにより通信装置として機能させることができる。また、プログラムはネットワークを用いて流通させることも可能であるため、通信装置の機能向上も容易となる。
【発明を実施するための最良の形態】
【００３１】
以下、本発明の実施形態について図面を用いて説明する。尚、本発明の実施の形態は、下記の実施形態に何ら限定されることはなく、本発明の技術的範囲に属する限り種々の形態を採りうる。
【００３２】
［構成の説明］
図１は、ナビゲーション装置１０の構成を示すブロック図である。ナビゲーション装置１０は、外部通信機１１と、記憶部１２と、位置検出器１３と、制御部１４と、操作部１５と、表示部１６と、マイク１７と、スピーカ１８と、データ入力部１９と、無線ＬＡＮ通信部２０とから構成される。
【００３３】
外部通信機１１は、無線通信を介してサーバと通信を行い、電子メールの送受信を行う部位である。
記憶部１２は、記憶保持動作が不要なデバイス（例えば、ＨＤＤ）から構成され、各種情報を記憶することができる。記憶部１２には、所定のキーワードと訪問目的を対応させる訪問目的推測テーブルが記憶されている。
【００３４】
位置検出器１３は、ＧＰＳ（Global Positioning System）用の人工衛星からの電波を、図示しないＧＰＳアンテナを介して受信して車両の位置、方位、速度等を検出するＧＰＳ受信器１３ａと、車両に加えられる回転運動の大きさを検出するジャイロスコープ１３ｂと、車両の前後方向の加速度等から走行した距離を検出する距離センサ１３ｃとを備えている。そして、これら各センサ等１３ａ〜１３ｃは、各々が性質の異なる誤差を有しているため、互いに補完しながら使用するように構成されている。
【００３５】
制御部１４は、ＣＰＵ、ＲＯＭ、ＲＡＭ、Ｉ／Ｏ及びこれらを接続するバスライン等からなる周知のマイクロコンピュータを中心に構成される。制御部１４はＲＯＭに記憶されているプログラムに従い本実施形態のナビゲーション装置の各部位を制御する。また、位置検出器１３からの各検出信号に基づき車両の現在地を特定する処理や、データ入力部１９から入力される地図データ上の所定の地点を目的地として、車両が現在地から目的地まで走行する際の最適な経路を算出し、算出された経路に基づき経路案内を行う。また、算出された経路に沿って目的地まで車両が走行した際、車両が目的地に到達するまでに必要な時間を予想する処理を行う。また、現在の時刻を特定する時計機能を有する。
【００３６】
操作部１５は、ユーザからの各種指示を受け付ける部位であり、具体的にはタッチスイッチ等から構成される。
表示部１６は、各種表示を行う部位であり、具体的にはＬＣＤや有機ＥＬ等から構成される。
【００３７】
マイク１７は、ユーザが音声を入力（発話）するとその入力した音声に基づく電気信号（音声信号）を制御部１４に出力する部位である。
スピーカ１８は、制御部１４から入力された信号に基づき音声を出力する部位である。
【００３８】
データ入力部１９は、図示しない記憶媒体（例えばハードディスクやＤＶＤ−ＲＯＭ等）に記憶された各種データを入力するための装置である。記憶媒体には、地図データ、案内用の音声データ、音声認識データ、地図データ上の施設の連絡先リスト、所定の施設を検索する際に用いる施設検索情報データベース等が記憶されている。なお、記憶媒体からこれらのデータを入力する代わりに、通信ネットワークを介してこれらのデータを入力するようになっていてもよい。
【００３９】
無線ＬＡＮ通信部２０は、ユーザが所持する図示しない携帯機器と無線ＬＡＮ（例えばＩＥＥＥ８０２．１１ｂ等）による通信を行うための機能を有する部位である。
［ユーザ情報についての説明］
ナビゲーション装置１０は、訪問する施設に対しユーザ情報５０を送信する。まず、このユーザ情報５０の内容について、図２を用いて説明する。
【００４０】
図２に記載のユーザ情報５０は、外見特定情報５０ａと、個人情報５０ｂと、嗜好情報５０ｃとから構成される。
外見特定情報５０ａとは、ナビゲーション装置１０の所有者であるユーザの外見を特定することができる情報のことである。具体的には、外見特定情報５０ａは、このユーザの顔写真の画像データと、このユーザの身長、体重、及び性別を示す情報とを有する。
【００４１】
個人情報５０ｂは、ナビゲーション装置１０の所有者であるユーザを特定する事ができる情報のことである。具体的には、個人情報５０ｂは、このユーザの氏名、性別、年齢、職業、住所、及び年収を示す情報を有する。
【００４２】
嗜好情報５０ｃは、ナビゲーション装置１０の所有者であるユーザの嗜好を示す情報のことである。具体的には、嗜好情報５０ｃは、このユーザの好きな食べ物は甘い物である事、好きな色は赤である事、うるさい場所は嫌いであること、及び煙草は吸わないことを示す情報を有する。
【００４３】
［問合せ画面についての説明］
図３の問合せ画面６０は、経路案内の目的地として施設が選択された際に、ナビゲーション装置１０が訪問メッセージの送信を行うか否かをユーザに問い合わせる際に表示する画面の一例である。ナビゲーション装置１０の制御部１４は、問合せ画面６０を表示部１６に表示させる。このとき、経路案内の目的地付近の地図を背景として、経路案内の目的地である施設を示す目的地アイコン６０ａと、目的地である施設に対し訪問メッセージの送信を行うか否かを問い合わせるメッセージである問合せメッセージ６０ｂが表示される。
【００４４】
［動作の説明］
次に、ナビゲーション装置１０が、施設を訪問する目的等を示すメッセージである訪問メッセージを、前記データ入力部１９から入力される地図データに記憶されている施設に対し送信する際の動作について説明する。
【００４５】
［第一実施形態］
第一実施形態のナビゲーション装置１０は、訪問メッセージ送信処理１と、訪問メッセージ送信処理２と、応答メッセージ受信処理とを実行する。訪問メッセージ送信処理１とは、ユーザがナビゲーション装置１０に経路案内の目的地を設定した際に、目的地である施設に訪問メッセージを送信する処理である。また、訪問メッセージ送信処理２とは、ユーザが、ドライブの目的地等を決めるために、ナビゲーション装置１０により施設検索を実行した際に行われる処理である。また、応答メッセージ受信処理とは、訪問メッセージの送信先である施設から受信したメッセージをユーザに報知する処理である。これらの処理の詳細について説明する。
【００４６】
（１）訪問メッセージ送信処理１
ナビゲーション装置１０の制御部１４が、操作部１５を介してデータ入力部１９から入力される地図データ上の施設を、経路案内の目的地として受け付ける処理である目的施設受付処理を実行した際に行う訪問メッセージ送信処理１について、図４に記載のフローチャート（訪問メッセージ送信処理１）を用いて説明する。
【００４７】
Ｓ１０５では、ナビゲーション装置１０の制御部１４は、目的地である施設の連絡先であるメールアドレスを、記憶媒体に記憶されている連絡先リストからデータ入力部１９を介して読み出し、Ｓ１１０に処理を移行する。
【００４８】
Ｓ１１０では、制御部１４は、Ｓ１０５にて目的地である施設のメールアドレスの読み出しに成功したか否か判定する。読み出しに失敗した場合（Ｓ１１０：Ｎｏ）、訪問メッセージ送信処理１を終了する。読み出しに成功した場合（Ｓ１１０：Ｙｅｓ）、Ｓ１１５に処理を移行する。
【００４９】
Ｓ１１５では、制御部１４は、表示部１６に問合せ画面６０を表示させると共にスピーカ１８から音声を出力し、ユーザに対し訪問メッセージの送信を行うか否かの問合せを行い、操作部１５を介してユーザから、訪問メッセージの送信を行うか否かの選択を受け付ける。制御部１４は、操作部１５を介して訪問メッセージを送信しない旨の選択を受け付けた場合、訪問メッセージ送信処理１を終了する。制御部１４は、操作部１５を介して訪問メッセージを送信する旨の選択を受け付けた場合、Ｓ１２０に処理を移行する。
【００５０】
Ｓ１２０では、制御部１４は、表示部１６、及びスピーカ１８を介して、施設を訪問する際の目的である訪問目的の入力を、マイク１７を介して音声にて受け付ける旨を報知する。そして、ユーザが発話した音声をマイク１７が集音し、制御部１４は、マイク１７が出力した音声信号に基づき訪問目的の音声データを生成し、この訪問目的の音声データを訪問目的メッセージとし、Ｓ１２５に処理を移行する。
【００５１】
Ｓ１２５では、制御部１４は、無線ＬＡＮ通信部２０を介して、ユーザが所持している図示しない携帯機器からユーザ情報５０を読み出し、Ｓ１３０に処理を移行する。
Ｓ１３０では、制御部１４は、位置検出器１３からの各検出信号に基づき車両の現在地を特定し、車両が現在地から目的地である施設まで走行する際の最適な経路を算出し、車両が目的地に到達するまでに必要な時間である予想時間を算出する。そして、算出した予想時間と、時計機能により特定した現在の時刻とに基づき、目的地である施設に車両が到着する時刻である予想到着時刻を算出し、Ｓ１３５に処理を移行する。
【００５２】
Ｓ１３５では、制御部１４は、ユーザが目的地である施設を訪問する旨と、Ｓ１３０にて算出した予想到着時刻とを示すメッセージを生成する。そして、制御部１４は、生成したメッセージと、Ｓ１２５にて読み出したユーザ情報５０と、Ｓ１２０にて生成した音声データである訪問目的メッセージとを有する訪問メッセージを、外部通信機１１を介して目的地である施設に電子メールにて送信する。そして、訪問メッセージ送信処理１を終了する。
【００５３】
（２）訪問メッセージ送信処理２
次に、ナビゲーション装置１０の制御部１４が、操作部１５を介して施設検索を行うための検索条件の入力を受け付ける処理である検索条件受付処理を実行した際に行う訪問メッセージ送信処理２について、図５に記載のフローチャート（訪問メッセージ送信処理２）を用いて説明する。
【００５４】
Ｓ２０５では、ナビゲーション装置１０の制御部１４は、ユーザが入力した検索条件に合致する１又は２以上の施設の施設情報を、データ入力部１９を介して記憶媒体に記憶されている施設検索情報データベースから読み出し、Ｓ２１０に処理を移行する。
【００５５】
Ｓ２１０では、制御部１４は、Ｓ２０５にて検索条件に合致した施設の施設情報を読み出す事ができたか否か判定する。施設情報を読み出す事ができなかった場合（Ｓ２１０：Ｎｏ）、訪問メッセージ送信処理２を終了する。施設情報を読み出す事ができた場合（Ｓ２１０：Ｙｅｓ）、Ｓ２１５に処理を移行する。
【００５６】
Ｓ２１５では、制御部１４は、Ｓ２０５にて読み出した施設情報に係る各施設の連絡先であるメールアドレスを取得する。具体的には、Ｓ２０５にて読み出した施設情報に施設のメールアドレスが含まれている場合、このメールアドレスを、施設のメールアドレスとする。また、Ｓ２０５にて読み出した施設情報に施設のメールアドレスが含まれていない場合、施設情報に含まれている施設名称等に基づき施設情報に係る施設のメールアドレスを、データ入力部１９を介して記憶媒体に記憶されている連絡先リストから読み出す。そして、Ｓ２２０に処理を移行する。
【００５７】
Ｓ２２０では、制御部１４は、Ｓ２１５にてメールアドレスの特定に成功した施設が存在するか否かを判定する。メールアドレスの特定に成功した施設が存在する場合（Ｓ２２０：Ｎｏ）、訪問メッセージ送信処理２を終了する。メールアドレスの特定に成功した施設が存在する場合（Ｓ２２０：Ｙｅｓ）、Ｓ２２５に処理を移行する。
【００５８】
Ｓ２２５では、制御部１４は、表示部１６、及びスピーカ１８を介して、訪問メッセージの送信を行うか否かの問合せを行うと共に、操作部１５を介してユーザから、訪問メッセージの送信を行うか否かの選択を受け付ける。制御部１４は、操作部１５を介して訪問メッセージを送信しない旨の選択を受け付けた場合、訪問メッセージ送信処理２を終了する。制御部１４は、操作部１５を介して訪問メッセージを送信する旨の選択を受け付けた場合、Ｓ２３０に処理を移行する。
【００５９】
Ｓ２３０では、制御部１４は、ユーザが施設に訪問する際の訪問目的を推測する処理を行う。具体的には、制御部１４は、操作部１５を介して施設検索を行う旨の操作を受け付けた後、マイク１７に対しユーザが発話した音声の集音を開始させる。そして、マイク１７は、集音したユーザの音声に基づく音声信号を生成し、制御部１４は、マイク１７が生成した音声信号に基づき音声データを生成し、この音声データを、制御部１４が有するＲＡＭに記憶させる。そして、Ｓ２３０において、制御部１４は、この音声データに基づき、ユーザにより発話された所定のキーワードのうち、最も多く発話されたキーワードを特定する。そして、制御部１４は、記憶部１２に記憶されている訪問目的推測テーブルを参照し、最も多く発話されたキーワードに対応する訪問目的を特定し、特定した訪問目的をユーザが施設を訪問する際の訪問目的とする。そして、Ｓ２３５に処理を移行する。
【００６０】
Ｓ２３５では、制御部１４は、Ｓ２３０にて推測した訪問目的と、推測した訪問目的を変更するか否かを問い合わせるメッセージを表示部１６に表示し、Ｓ２４０に処理を移行する。
【００６１】
Ｓ２４０では、制御部１４は、操作部１５を介してＳ２３０にて推測した訪問目的を変更するか否かの選択を受け付ける。推測した訪問目的を変更する旨の選択を受け付けた場合（Ｓ２４０：Ｙｅｓ）、Ｓ２４５に処理を移行する。推測した訪問目的を変更しない旨の選択を受け付けた場合（Ｓ２４０：Ｎｏ）、Ｓ２５０に処理を移行する。
【００６２】
Ｓ２４５では、制御部１４は、操作部１５を介して訪問目的の入力を受け付け、Ｓ２５５に処理を移行する。
Ｓ２５０では、制御部１４は、Ｓ２３０にて推測された訪問目的、又はＳ２４５にて入力された訪問目的を示すメッセージである訪問目的メッセージを生成し、Ｓ２５５に処理を移行する。
【００６３】
Ｓ２５５では、制御部１４は、無線ＬＡＮ通信部２０を介して、ユーザが所持している図示しない携帯機器からユーザ情報５０を読み出し、Ｓ２６０に処理を移行する。
Ｓ２６０では、制御部１４は、位置検出器１３からの各検出信号に基づき車両の現在地を特定し、車両が現在地からＳ２１５にて特定したメールアドレスに係る各施設まで走行する際の最適な経路を算出し、車両がこれらの施設に到達するまでに必要な時間である予想時間を算出する。そして、算出した予想時間と、時計機能により特定した現在の時刻とに基づき、Ｓ２１５にて特定したメールアドレスに係る各施設に車両が到着する時刻である予想到着時刻を算出し、Ｓ２６５に処理を移行する。
【００６４】
Ｓ２６５では、制御部１４は、ユーザが目的地である施設を訪問する旨と、Ｓ２５０にて生成された訪問目的メッセージと、Ｓ２６０にて算出した予想到着時刻とを示すメッセージを、Ｓ２１５にて特定したメールアドレスに係る施設毎に生成する。そして、制御部１４は、このメッセージと、Ｓ２５５にて読み出したユーザ情報５０とを有する訪問メッセージを、外部通信機１１を介して、Ｓ２１５にて特定したメールアドレスに係る各施設に電子メールにて送信する。そして、訪問メッセージ送信処理２を終了する。
【００６５】
（３）応答メッセージ受信処理
訪問メッセージを受信した施設の従業員等は、訪問目的メッセージ、ユーザ情報５０、及び予想到着時刻の内容を確認する。そして、従業員等は、施設の予約の可否等を確認し、施設の予約の可否等を通知する応答メッセージを作成し、この応答メッセージをユーザに対しメールで送信する。具体的には、例えば、施設がレストランである場合、訪問メッセージの内容を確認した従業員は、レストランの予約の状況等を確認し、予約が可能である旨や、本日のお勧めメニューや、ユーザの嗜好に合いそうなメニュー等をユーザに知らせる応答メッセージを作成し、この応答メッセージをユーザに対しメールにて送信することができる。尚、画像データやスクリプト等を使用して応答メッセージを作成しても良い。
【００６６】
次に、ナビゲーション装置１０の制御部１４が、外部通信機１１を介して、上述した応答メッセージを受信した際の処理について、図６に記載のフローチャート（応答メッセージ受信処理）を用いて説明する。
【００６７】
Ｓ３０５では、制御部１４は、訪問メッセージを送信した施設から受信した応答メッセージが有している画像データやスクリプトに基づき表示部１６に画像を描画し、施設の予約の可否や、施設からユーザへのメッセージ等を表示させ、Ｓ３１０に処理を移行する。
【００６８】
Ｓ３１０では、制御部１４は、操作部１５を介してユーザからこの施設を予約するか否かの選択を受け付ける。施設を予約しない旨を受け付けた場合（Ｓ３１０：Ｎｏ）、応答メッセージ受信処理を終了する。施設を予約する旨を受け付けた場合（Ｓ３１０：Ｙｅｓ）、Ｓ３１５に処理を移行する。
【００６９】
Ｓ３１５では、制御部１４は、外部通信機１１を介して応答メッセージの送信元である施設に対し、施設の予約を行う旨のメッセージを送信し、応答メッセージ受信処理を終了する。
【００７０】
［効果］
第一実施形態のナビゲーション装置１０によれば、ユーザは、訪問する施設の従業員等にユーザの外見と、施設を訪問する際の目的とを知らせる事ができる（Ｓ１２０、Ｓ１２５、Ｓ２４５、Ｓ２５０、Ｓ２５５）。従って、ユーザが施設を訪問した際、施設の従業員等に自分の名前や施設を訪問する目的を告げなくても、ユーザの目的に合致したサービスを受けることができる。また、ユーザは、訪問する施設の従業員等に施設に到着する予想時刻である予想到着時刻を知らせる事ができる（Ｓ１３０、Ｓ２６０）。従って、施設の従業員等は、ユーザが施設に到着する時刻にあわせてユーザに提供するサービスの準備を行うことができる。また、ユーザは、訪問する施設の従業員等にユーザの個人情報、及びユーザの嗜好を示す情報である嗜好情報を知らせる事ができる（Ｓ１２５、Ｓ２５５）。従って、ユーザが施設を訪問した際に、ユーザの嗜好等を従業員等に説明しなくても、ユーザに合ったサービスの提供を受ける事ができる。また、施設の経営者等は、施設を訪問するユーザの個人情報、及び嗜好情報を得る事が可能となり、これらの情報を施設の経営に役立てることが可能となる。
【００７１】
また、ユーザの外見特定情報５０ａ、個人情報５０ｂ、嗜好情報５０ｃから構成されるユーザ情報５０は、ユーザが所持している携帯機器等から読み出される（Ｓ１２５、Ｓ２５５）。従って、他人が所有するナビゲーション装置１０を使用する場合であっても、ナビゲーション装置１０の記憶部１２にこれらの情報を記憶させる必要がなくなるため、通信装置の利便性が向上する。また、ユーザ情報５０をナビゲーション装置１０の記憶部１２に記憶させておく必要がなくなるため、ユーザ情報５０が流出してしまう危険性を低減させることができる。
【００７２】
また、ユーザは、訪問メッセージを送信した施設からの返事を確認し（Ｓ３０５）、施設の予約を行う事ができる（Ｓ３１５）。従って、ユーザは、訪問メッセージ送信処理に係る施設が提供する情報に基づき、この施設を訪問するか否か決めることが可能となり、通信装置の利便性が向上する。また、ユーザは、例えば、複数の施設に対し訪問メッセージ送信処理を行い、これらの施設から受信したメッセージに基づき訪問する施設を選択する事が可能となる。
【００７３】
また、ナビゲーション装置１０は、ユーザが経路案内の目的地として施設を設定した際や、ユーザが施設検索を行い、施設の検索に成功した際に（Ｓ２１０：Ｙｅｓ）、訪問メッセージの生成等を開始する（Ｓ１０５、Ｓ２１５）。従って、ユーザは、訪問メッセージの生成を開始させる操作を行う必要がなくなるため、ナビゲーション装置１０の利便性が向上する。
【００７４】
また、ナビゲーション装置１０は、ユーザが施設検索を行っている最中に発話した音声に基づきユーザの訪問目的を推測し（Ｓ２３０）、訪問目的メッセージを生成する。従って、ユーザは、ナビゲーション装置１０に訪問目的メッセージを入力する必要がなくなるため、ナビゲーション装置１０の利便性が向上する。
【００７５】
［第二実施形態］
第二実施形態のナビゲーション装置１０は、訪問メッセージ送信処理３を実行する。訪問メッセージ送信処理３とは、ユーザが、ナビゲーション装置１０が実行している経路案内に従い、施設である目的地に向かって運転する際に、車両が目的地である施設に到着するまでに必要な時間である予想時間が所定の時間未満になった際に、訪問メッセージを目的地である施設に送信する処理である。また、第二実施形態のナビゲーション装置１０は、第一実施形態のナビゲーション装置１０で実行される訪問メッセージ送信処理２と同一の処理と、第一実施形態のナビゲーション装置１０で実行される応答メッセージ受信処理と同一の処理とを実行する。これらの処理については説明を省略する。ここでは、訪問メッセージ送信処理３の詳細について説明する。
【００７６】
（１）訪問メッセージ送信処理３
ナビゲーション装置１０の制御部１４が、操作部１５を介してデータ入力部１９から入力される地図データ上の施設を、経路案内の目的地として受け付ける処理である目的施設受付処理を実行した際に開始される訪問メッセージ送信処理３について、図７に記載のフローチャート（訪問メッセージ送信処理３）を用いて説明する。
【００７７】
Ｓ４０５では、ナビゲーション装置１０の制御部１４は、目的地である施設の連絡先であるメールアドレスを、記憶媒体に記憶されている連絡先リストからデータ入力部１９を介して読み出し、Ｓ４１０に処理を移行する。
【００７８】
Ｓ４１０では、制御部１４は、Ｓ４０５にて目的地である施設のメールアドレスの読み出しに成功したか否か判定する。読み出しに失敗した場合（Ｓ４１０：Ｎｏ）、訪問メッセージ送信処理３を終了する。読み出しに成功した場合（Ｓ４１０：Ｙｅｓ）、Ｓ４１５に処理を移行する。
【００７９】
Ｓ４１５では、制御部１４は、表示部１６、及びスピーカ１８を介して、ユーザに対し訪問メッセージの送信を行うか否かの問合せを行い、操作部１５を介してユーザから、訪問メッセージの送信を行うか否かの選択を受け付ける。制御部１４は、操作部１５を介して訪問メッセージを送信しない旨の選択を受け付けた場合、訪問メッセージ送信処理３を終了する。制御部１４は、操作部１５を介して訪問メッセージを送信する旨の選択を受け付けた場合、Ｓ４２０に処理を移行する。
【００８０】
Ｓ４２０では、制御部１４は、訪問目的の例を表示部１６に表示させる。そして、Ｓ４２５に処理を移行する。
Ｓ４２５では、制御部１４は、操作部１５を介して、表示部１６に表示されている訪問目的の中からユーザが選択した訪問目的の入力を受け付け、ユーザにより選択された訪問目的に基づき訪問目的メッセージを生成し、Ｓ４３０に処理を移行する。
【００８１】
Ｓ４３０では、制御部１４は、無線ＬＡＮ通信部２０を介して、ユーザが所持している図示しない携帯機器からユーザ情報５０を読み出し、Ｓ４３５に処理を移行する。
Ｓ４３５では、制御部１４は、位置検出器１３からの各検出信号に基づき車両の現在地を特定し、車両が現在地から目的地である施設まで走行する際の最適な経路を算出し、算出した経路に基づく経路案内を開始する。そして、Ｓ４４０に処理を移行する。
【００８２】
Ｓ４４０では、制御部１４は、Ｓ４３５にて算出した経路に基づき、車両が目的地である施設に到着するまでに必要な時間である予想時間を算出し、Ｓ４４５に処理を移行する。
【００８３】
Ｓ４４５では、制御部１４は、Ｓ４４０にて算出した予想時間が３０分未満であるか否か判定する。予想時間が３０分未満である場合、Ｓ４５０に処理を移行する。予想時間が３０分以上である場合、Ｓ４４０に処理を移行する。
【００８４】
Ｓ４５０では、Ｓ４４０にて算出した予想時間と、時計機能により特定した現在の時刻とに基づき、目的地である施設に車両が到着する時刻である予想到着時刻を算出し、Ｓ４５５に処理を移行する。
【００８５】
Ｓ４５５では、制御部１４は、ユーザが目的地である施設を訪問する旨と、Ｓ４２５にて生成された訪問目的メッセージと、Ｓ４５０にて算出された予想到着時刻とを示すメッセージとを生成する。そして、制御部１４は、生成したメッセージと、Ｓ４３０にて読み出したユーザ情報５０とを有する訪問メッセージを、外部通信機１１を介して目的地である施設に電子メールにて送信する。そして、訪問メッセージ送信処理３を終了する。
【００８６】
［効果］
第二実施形態のナビゲーション装置１０によれば、ユーザは、訪問する施設の従業員等にユーザの外見と、施設を訪問する際の目的とを知らせる事ができる（Ｓ４２５、Ｓ４３０）。従って、ユーザが施設を訪問した際、施設の従業員等に自分の名前や施設を訪問する目的を告げなくても、ユーザの目的に合致したサービスを受けることができる。また、ユーザは、訪問する施設の従業員等に施設に到着する予想時刻である予想到着時刻を知らせる事ができる（Ｓ４５０）。従って、施設の従業員等は、ユーザが施設に到着する時刻にあわせてユーザに提供するサービスの準備を行うことができる。また、ユーザは、訪問する施設の従業員等にユーザの個人情報、及びユーザの嗜好を示す情報である嗜好情報を知らせる事ができる（Ｓ４３０）。従って、ユーザが施設を訪問した際に、ユーザの嗜好等を従業員等に説明しなくても、ユーザに合ったサービスの提供を受ける事ができる。また、施設の経営者等は、施設を訪問するユーザの個人情報、及び嗜好情報を得る事が可能となり、これらの情報を施設の経営に役立てることが可能となる。
【００８７】
また、ユーザの外見特定情報５０ａ、個人情報５０ｂ、嗜好情報５０ｃから構成されるユーザ情報５０は、ユーザが所持している携帯機器等から読み出される（Ｓ４３０）。従って、他人が所有するナビゲーション装置１０を使用する場合であっても、ナビゲーション装置１０の記憶部１２にこれらの情報を記憶させる必要がなくなるため、通信装置の利便性が向上する。また、ユーザ情報５０をナビゲーション装置１０の記憶部１２に記憶させておく必要がなくなるため、ユーザ情報５０が流出してしまう危険性を低減させることができる。
【００８８】
また、ナビゲーション装置１０は、経路案内の目的地である施設に車両が到着するまでに必要な時間である予想時間が３０分未満になった際に、訪問メッセージの生成等を開始する（Ｓ４５０）。従って、例えば、ドライブの途中で予定が変更し、目的地が変更した場合、変更前の目的地に車両が接近していなければ変更前の目的地に訪問メッセージが送信されないため、ナビゲーション装置１０の利便性が向上する。
【００８９】
［他の実施形態］
（１）ユーザから訪問目的の入力を受け付ける際、ナビゲーション装置１０の制御部１４は、表示部１６に複数の訪問目的の例を表示させ、操作部１５を介してユーザから訪問目的の選択を受け付け、更に、操作部１５を介して所定のキーワードの入力を受け付けても良い。そして、選択された訪問目的と、入力されたキーワードとを組み合わせたものを訪問目的としても良い。こうすることにより、ユーザが訪問目的を入力する手間を省く事ができる。また、例えば、施設を訪問する際の人数等の詳細な情報を、施設の従業員等に伝えることが可能となる。
【００９０】
（２）ナビゲーション装置１０は、訪問メッセージを生成する際に車両に搭載されたカメラにユーザの写真を撮影させ、車両に搭載されたカメラで撮影したユーザの写真のデータを外見特定情報として施設に送信しても良い。こうすることにより、施設の従業員等は施設を訪問する直前のユーザの外見を特定することができるため、訪問メッセージを送信したユーザを他の客と間違えてしまうといった事態が発生することを防止することが可能となる。
【００９１】
［特許請求の範囲との対応］
上記実施形態の説明で用いた用語と、特許請求の範囲の記載に用いた用語との対応を示す。
【００９２】
ナビゲーション装置１０が通信装置に、外部通信機１１が通信手段に、位置検出器１３が現在地特定手段に、制御部１４が制御手段に、操作部１５が受付手段に、表示部１６が報知手段に、マイク１７が受付手段及び音声データ生成手段に、スピーカ１８が報知手段に、データ入力部１９がデータ取得手段に、無線ＬＡＮ通信部２０がユーザ情報取得手段に、メールアドレスが連絡先情報に相当する。
【００９３】
また、データ入力部１９から入力される地図データ上の施設を経路案内の目的地として受け付ける処理である目的施設受付処理が訪問メッセージ送信処理の第一のステップに、目的施設受付処理において受け付ける目的地が施設特定情報に相当する。また、施設検索を行うための検索条件の入力を受け付ける処理である検索条件受付処理が訪問メッセージ送信処理の第一のステップに、検索条件受付処理において受け付ける検索条件が施設特定情報に相当する。
【００９４】
また、Ｓ１０５、Ｓ２０５及びＳ２１５、Ｓ４０５が訪問メッセージ送信処理の第二のステップに、Ｓ１２０、Ｓ２３０、Ｓ４２５が訪問メッセージ送信処理の第三のステップに、Ｓ１３５、Ｓ２６５、Ｓ４５５が訪問メッセージ送信処理の第四のステップに、Ｓ１３０、Ｓ２６０、Ｓ４５０が訪問メッセージ送信処理の第五のステップに相当する。
【図面の簡単な説明】
【００９５】
【図１】ナビゲーション装置の構成を説明するブロック図である。
【図２】ユーザ情報を説明するための図である。
【図３】訪問メッセージの送信を行うか否かを問い合わせる画面の説明図である。
【図４】経路案内の目的地として施設を設定した際に訪問メッセージの送信を行う処理を説明するためのフローチャートである。
【図５】施設検索処理において施設が検索された際に訪問メッセージの送信を行う処理を説明するためのフローチャートである。
【図６】訪問メッセージを送信した施設からメッセージを受信した際の処理を説明するためのフローチャートである。
【図７】経路案内の目的地である施設に近づいた際に訪問メッセージの送信を行う処理を説明するためのフローチャートである。
【符号の説明】
【００９６】
１０…ナビゲーション装置、１１…外部通信機、１２…記憶部、１３…位置検出器、１３ａ…ＧＰＳ受信器、１３ｂ…ジャイロスコープ、１３ｃ…距離センサ、１４…制御部、１５…操作部、１６…表示部、１７…マイク、１８…スピーカ、１９…データ入力部、２０…無線ＬＡＮ通信部、５０…ユーザ情報、５０ａ…外見特定情報、５０ｂ…個人情報、５０ｃ…嗜好情報、６０…問合せ画面、６０ａ…目的地アイコン、６０ｂ…問合せメッセージ。
【図１】
2008305239.tif 000003
【図２】
2008305239.tif 000004
【図３】
2008305239.tif 000005
【図４】
2008305239.tif 000006
【図５】
2008305239.tif 000007
【図６】
2008305239.tif 000008
【図７】
2008305239.tif 000009